(57)【要約】【課題】いわゆる小型の電子式計算機において、種々の計算結果を見易く、且つ理解し易い状態で表示することを可能とする。【解決手段】電子式計算機１は、ユーザから数値、演算記号および各種処理の指示を入力する入力手段２と、数値を記憶する記憶手段７と、入力手段を介して入力された数値および記憶手段に記憶された数値に基づいて計算を行う計算手段８と、日の字状セグメントを一段に表示する一段型表示手段３ａと日の字状セグメントを二段に表示する二段型表示手段３ｂとが積層された表示手段３と、入力手段を介して四則演算が入力された場合には一段型表示手段を用いて一段表示を行い、入力手段を介して記憶手段に記憶された数値を用いた計算の指示が入力された場合には二段型表示手段を用いて二段表示を行うように表示の切り換えを行う切り換え手段８と、を備える。【選択図】図３
2008234144.tif 000002
【特許請求の範囲】
【請求項１】
ユーザから数値、演算記号および各種処理の指示を入力する入力手段と、
数値を記憶する記憶手段と、
前記入力手段を介して入力された数値および前記記憶手段に記憶された数値に基づいて計算を行う計算手段と、
日の字状セグメントを一段に表示する一段型表示手段と、日の字状セグメントを二段に表示する二段型表示手段とが積層された表示手段と、
前記入力手段を介して四則演算が入力された場合には前記一段型表示手段を用いて一段表示を行い、前記入力手段を介して前記記憶手段に記憶された数値を用いた計算の指示が入力された場合には前記二段型表示手段を用いて二段表示を行うように表示の切り換えを行う切り換え手段と、を備えることを特徴とする電子式計算機。
【請求項２】
前記記憶手段に記憶された数値を用いた計算は、税込み計算であり、
前記記憶手段には、税率が記憶されており、
前記計算手段は、入力された数値および前記税率に基づいて税込み計算を行い、
前記表示手段は、前記二段型表示手段に、税額と、前記税込み計算の計算結果とを二段表示することを特徴とする請求項１に記載の電子式計算機。
【請求項３】
前記記憶手段に記憶された数値を用いた計算は、税抜き計算であり、
前記記憶手段には、税率が記憶されており、
前記計算手段は、入力された数値および前記税率に基づいて税抜き計算を行い、
前記表示手段は、前記二段型表示手段に、税額と、前記税抜き計算の計算結果とを二段表示することを特徴とする請求項１に記載の電子式計算機。
【請求項４】
前記記憶手段に記憶された数値を用いた計算は、換算計算であり、
前記記憶手段には、換算レートが記憶されており、
前記計算手段は、入力された数値および前記換算レートに基づいて換算計算を行い、
前記表示手段は、前記二段型表示手段に、換算前の数値と、換算後の数値とを二段表示することを特徴とする請求項１に記載の電子式計算機。
【請求項５】
前記記憶手段に記憶された数値を用いた計算は、定数計算であり、
前記記憶手段は、前記入力手段を介して入力された定数を記憶し、
前記計算手段は、入力された数値および前記定数に基づいて定数計算を行い、
前記表示手段は、前記二段型表示手段に、前記定数と、前記定数計算の計算結果とを二段表示することを特徴とする請求項１に記載の電子式計算機。
【請求項６】
前記記憶手段に記憶された数値を用いた計算は、メモリ計算であり、
前記記憶手段は、前記入力手段を介して入力された数値をメモリ内容として記憶し、
前記計算手段は、入力された数値および前記メモリ内容に基づいてメモリ計算を行い、
前記表示手段は、前記二段型表示手段に、前記メモリ計算の結果と、前記メモリ計算に用いる計算の置数および結果とを二段表示することを特徴とする請求項１に記載の電子式計算機。
【請求項７】
前記切り換え手段は、前記入力手段を介したユーザからの切り換え指示に基づいて前記表示の切り換えを行うことを特徴とする請求項１から請求項６の何れか一項に記載の電子式計算機。
【発明の詳細な説明】
【技術分野】
【０００１】
本発明は、電子式計算機に関する。
【背景技術】
【０００２】
従来から、日の字状セグメントを一段に表示するディスプレイを備え、テンキーを押下すると数値が入力されてディスプレイに表示され、四則演算等の演算記号のキーを押下して「＝」キーを押下すると演算が実行されて計算結果がディスプレイに表示される、いわゆる電卓と呼ばれる小型の電子式計算機が知られている。
【０００３】
このような電子式計算機には、一方で、より複雑な計算を行うことができる機能を有することや多機能化等の要請があり、そのような要請に応えるものとしていわゆる関数電卓等が開発されている。しかし、他方で、持ち運びの便利さや扱いの容易さ等の要請もあり、そのような電子式計算機には、計算機自体は小型のまま、簡単なキー操作で四則演算や税込み計算、税抜き計算、為替レート等の換算レートに基づく換算計算等を手軽に行うことができることが求められている。
【０００４】
後者の電子式計算機では、計算機自体が小型であり、ディスプレイに大きな面積を割くことができないため、ディスプレイに表示する表示内容を豊富にするには例えばディスプレイを多層構造にして、各層で異なる内容を表示させることが考えられる。このような多層構造のディスプレイを備える電子機器としては、例えば特許文献１に記載された電子機器が知られている。
【特許文献１】国際公開ＷＯ００／０３６５８２号パンフレット
【発明の開示】
【発明が解決しようとする課題】
【０００５】
しかしながら、特許文献１に記載の電子機器に用いられるディスプレイを前述した小型の電子式計算機にそのまま適用すると、ディスプレイの表示が細かくなり、ディスプレイに表示される数値や文字が見難くなってしまう。そのため、小型の電子式計算機には、ディスプレイに表示される表示が見易いことが求められる。
【０００６】
しかし、その一方で、ユーザにとっては、例えば税込み計算や税抜き計算では、税込み価格や税抜き価格のほかに税額がいくらになるのかも知りたいであろうし、為替レート等の換算レートに基づく換算計算では、換算後の計算結果と同時にもともとどのような数値を入力したのかがディスプレイ上に表示されていれば便利であろう。
【０００７】
このように、多様な計算を行う機能を有する小型の電子式計算機には、ディスプレイに表示される表示が見易いことに加えて、種々の計算結果を理解し易い状態で表示することも求められている。
【０００８】
本発明の課題は、いわゆる小型の電子式計算機であって、種々の計算結果を見易く、且つ理解し易い状態で表示することが可能な電子式計算機を提供することである。
【課題を解決するための手段】
【０００９】
以上の課題を解決するために、請求項１に記載の発明は、電子式計算機において、
ユーザから数値、演算記号および各種処理の指示を入力する入力手段と、
数値を記憶する記憶手段と、
前記入力手段を介して入力された数値および前記記憶手段に記憶された数値に基づいて計算を行う計算手段と、
日の字状セグメントを一段に表示する一段型表示手段と、日の字状セグメントを二段に表示する二段型表示手段とが積層された表示手段と、
前記入力手段を介して四則演算が入力された場合には前記一段型表示手段を用いて一段表示を行い、前記入力手段を介して前記記憶手段に記憶された数値を用いた計算の指示が入力された場合には前記二段型表示手段を用いて二段表示を行うように表示の切り換えを行う切り換え手段と、を備えることを特徴とする。
【００１０】
請求項２に記載の発明は、請求項１に記載の電子式計算機において、
前記記憶手段に記憶された数値を用いた計算は、税込み計算であり、
前記記憶手段には、税率が記憶されており、
前記計算手段は、入力された数値および前記税率に基づいて税込み計算を行い、
前記表示手段は、前記二段型表示手段に、税額と、前記税込み計算の計算結果とを二段表示することを特徴とする。
【００１１】
請求項３に記載の発明は、請求項１に記載の電子式計算機において、
前記記憶手段に記憶された数値を用いた計算は、税抜き計算であり、
前記記憶手段には、税率が記憶されており、
前記計算手段は、入力された数値および前記税率に基づいて税抜き計算を行い、
前記表示手段は、前記二段型表示手段に、税額と、前記税抜き計算の計算結果とを二段表示することを特徴とする。
【００１２】
請求項４に記載の発明は、請求項１に記載の電子式計算機において、
前記記憶手段に記憶された数値を用いた計算は、換算計算であり、
前記記憶手段には、換算レートが記憶されており、
前記計算手段は、入力された数値および前記換算レートに基づいて換算計算を行い、
前記表示手段は、前記二段型表示手段に、換算前の数値と、換算後の数値とを二段表示することを特徴とする。
【００１３】
請求項５に記載の発明は、請求項１に記載の電子式計算機において、
前記記憶手段に記憶された数値を用いた計算は、定数計算であり、
前記記憶手段は、前記入力手段を介して入力された定数を記憶し、
前記計算手段は、入力された数値および前記定数に基づいて定数計算を行い、
前記表示手段は、前記二段型表示手段に、前記定数と、前記定数計算の計算結果とを二段表示することを特徴とする。
【００１４】
請求項６に記載の発明は、請求項１に記載の電子式計算機において、
前記記憶手段に記憶された数値を用いた計算は、メモリ計算であり、
前記記憶手段は、前記入力手段を介して入力された数値をメモリ内容として記憶し、
前記計算手段は、入力された数値および前記メモリ内容に基づいてメモリ計算を行い、
前記表示手段は、前記二段型表示手段に、前記メモリ計算の結果と、前記メモリ計算に用いる計算の置数および結果とを二段表示することを特徴とする。
【００１５】
請求項７に記載の発明は、請求項１から請求項６の何れか一項に記載の電子式計算機において、前記切り換え手段は、前記入力手段を介したユーザからの切り換え指示に基づいて前記表示の切り換えを行うことを特徴とする。
【発明の効果】
【００１６】
本発明によれば、いわゆる小型の電子式計算機において、表示手段を日の字状セグメントを一段に表示する一段型表示手段と日の字状セグメントを二段に表示する二段型表示手段とを積層して構成し、四則演算の計算結果は一段で表示し、記憶手段に記憶された数値を用いた種々の計算の結果は二段で表示するように切り換えることで、種々の計算結果を見易く、且つ理解し易い状態で表示することが可能となる。
【発明を実施するための最良の形態】
【００１７】
以下、本発明に係る電子式計算機の実施の形態について、図面を参照しながら説明する。
【００１８】
図１に、本実施形態に係る電子式計算機の正面図を示す。電子式計算機１は、主に、入力手段である各種キー群２と、表示手段であるディスプレイ３とを備えている。
【００１９】
各種キー群２は、ユーザから数値や演算記号等の数式構成要素の入力操作を受けたり、各種処理の指示操作を受けて後述するＣＰＵに入力するためのキー群であり、それぞれ固有の機能を割り当てられた複数のキーを備えている。本実施形態では、各種キー群２は、例えばテンキー２０、演算キー２１、「＝」キー２２、ＡＣキー２３、Ｃキー２４、右方向キー２５、左方向キー２６、税込キー２７、税抜キー２８、メモリキー２９、電源キー３０等で構成されている。
【００２０】
このうち、テンキー２０は数値の入力操作を受けるキーであり、演算キー２１は四則演算を実行する場合の演算記号の入力操作を受けるキーである。なお、本実施形態では、演算キー２１の乗算キー２１ａや除算キー２１ｂをそれぞれ連続して２回押下すると電子式計算機１の計算モードが定数計算モードに設定されるようになっている。「＝」キー２２は入力された数値や演算記号に基づく演算処理の指示を受けるキーである。
【００２１】
ＡＣキー２３は後述する記憶手段のメモリ領域をクリアする処理の指示を受けるキーであり、Ｃキー２４は入力したデータをクリアする処理の指示を受けるキーである。また、右方向キー２５は本実施形態ではドル単位で入力された数値を円単位に換算する換算計算の処理の指示を受けるキーであり、左方向キー２６は円単位で入力された数値をドル単位に換算する換算計算の処理の指示を受けるキーである。
【００２２】
税込キー２７は入力された数値に対する税込み計算の処理の指示を受けるキーであり、税抜キー２８は入力された数値に対する税抜き計算の処理の指示を受けるキーである。メモリキー２９は入力された数値をメモリ内容とするメモリ計算の処理の指示を受けるキーであり、電源キー３０は電子式計算機１の電源を投入／切断するためのキーである。
【００２３】
表示手段であるディスプレイ３は、図２（Ａ）に示すような日の字状セグメントを一段に表示する一段型表示手段３ａと、図２（Ｂ）に示すような日の字状セグメントを二段に表示する二段型表示手段３ｂとが積層されて構成されている。以下、一段型表示手段３ａを一段表示パネル３ａ、二段型表示手段３ｂを二段表示パネル３ｂという。
【００２４】
本実施形態では、ディスプレイ３は、図示しない反射板の外側に光を透過する素材で構成された二段表示パネル３ｂが貼付され、さらにその外側に同じく光を透過する素材で構成された一段表示パネル３ａが積層されて形成されている。また、一段表示パネル３ａおよび二段表示パネル３ｂの日の字状セグメントを構成する各セグメント、および二段表示パネル３ｂの「Ｋ」、「Ｍ」、「税」、「税込」、「税抜」の文字セグメントには、それぞれ図示しない透明電極が配設されており、各透明電極には、後述する第１表示駆動回路５ａや第２表示駆動回路５ｂから所定の電圧を印加できるようになっている。
【００２５】
前述したように、一段表示パネル３ａや二段表示パネル３ｂは光を透過する素材で構成されているため、日の字状セグメント以外の部分や「Ｋ」、「Ｍ」、「税」、「税込」、「税抜」の文字セグメント以外の部分に外光が入射すると、光が一段表示パネル３ａや二段表示パネル３ｂを透過して反射板で反射され、二段表示パネル３ｂ、一段表示パネル３ａを透過して一段表示パネル３ａから外界に出射される。そのため、その部分は明るく見えるようになっている。
【００２６】
また、一段表示パネル３ａや二段表示パネル３ｂの日の字状セグメントの部分や文字セグメントの部分は、所定の電圧が印加されていない状態では外光を透過してそれら以外の部分と同様に明るく見えるため、ディスプレイ３上には何も表示されていないように見える。しかし、日の字状セグメントの部分や文字セグメントの部分は前述した所定の電圧が印加されると光を吸収するようになっており、そのため、所定の電圧が印加されるとそのセグメント部分では外光が透過できなくなって反射板で反射されず、そのセグメント部分が黒く見えるようになる。このように、表示すべき数値や文字に対応するセグメントに所定の電圧を印加することで、ディスプレイ３の画面上に数値や文字が表示されるようになっている。
【００２７】
なお、「Ｋ」の表示は、電子式計算機１の計算モードが定数計算モードであり、その右方に表示されている数値が定数計算の定数であることを示す表示であり、「Ｍ」の表示は、計算モードがメモリ計算モードであり、その右方に表示されている数値が記憶手段に記憶されているメモリ内容であることを示す表示である。また、「税」の表示は、計算モードが税込み計算モードまたは税抜き計算モードであり、その右方に表示されている数値が税額であることを示す表示であり、「税込」および「税抜」の表示は、計算モードが税込み計算モードまたは税抜き計算モードであり、その右方に表示されている数値が税込み計算または税抜き計算の計算結果であることを示す表示である。また、計算モードが四則演算モードである場合にはこれらの文字セグメントの表示は行わない。
【００２８】
続いて、電子式計算機１の機能構成について説明する。図３は、本実施形態に係る電子式計算機の機能構成を示すブロック図である。電子式計算機１は、入力部４、第１表示駆動回路５ａ、第２表示駆動回路５ｂ、ＲＯＭ（Read Only Memory）６、記憶手段であるＲＡＭ（Random Access Memory）７およびＣＰＵ（Central Processing Unit）８等の機能部を備えており、各機能部はバス１０で接続されている。
【００２９】
入力部４は、上述の各種キー群２を備えており、押下されたキーの信号をＣＰＵ８に出力するようになっている。
【００３０】
第１表示駆動回路５ａおよび第２表示駆動回路５ｂは、ＣＰＵ８からの信号に基づいてそれぞれ前述したディスプレイ３の一段表示パネル３ａおよび二段表示パネル３ｂの駆動を行うようになっている。具体的には、第１表示駆動回路５ａや第２表示駆動回路５ｂは、ＣＰＵ８からそれぞれ一段表示パネル３ａや二段表示パネル３ｂに表示すべき情報の信号が送信されてくると、その信号に基づいて、一段表示パネル３ａや二段表示パネル３ｂの必要な日の字状セグメントや文字セグメントの透明電極に所定の電圧を印加して、ディスプレイ３上に各種情報を表示するようになっている。
【００３１】
ＲＯＭ６は、電子式計算機１におけるメニュー表示処理や各種設定処理、各種演算処理等の動作に係る各種プログラムや、電子式計算機１が備える種々の機能を実現するためのプログラム等を格納している。ＲＯＭ６に記憶されている各プログラムは、必要に応じてＣＰＵ８によりＲＯＭ６から読み出され、ＲＡＭ７に展開された後に実行されるようになっている。
【００３２】
ＲＡＭ７は、ＣＰＵ８が実行する各種プログラムをプログラム用の領域に書き込み、これらのプログラムの実行に係るデータ等を一時的に保持する図示しない演算用の領域や表示用の領域等を有する随時書き込み可能なメモリである。
【００３３】
なお、図３に示すように、本実施形態では、ＲＡＭ７には、表示用の領域として、一段表示パネル３ａに表示する内容を一時的に保持する第１表示メモリ領域と、二段表示パネル３ｂの上段に表示する内容を一時的に保持する第２上段表示メモリ領域と、二段表示パネル３ｂの下段に表示する内容を一時的に保持する第２下段表示メモリ領域とが設けられている。
【００３４】
また、ＲＡＭ７には、この他にも、前述した定数計算モード、メモリ計算モード、税込み計算モード、税抜き計算モードの計算モードを表すデータが一時的に保持される計算モード用領域や、後述するフラグＦの値が一時的に保持されるフラグ用領域、税率を表す数値を記憶するための税率用領域、為替レート等の換算レートを記憶するための換算レート用領域、「Ｍ＋」計算や「Ｍ−」計算等のメモリ計算に使用されるＭ値を記憶するためのメモリ計算用領域等が設けられている。なお、Ｍ値とはＲＡＭに記憶されメモリ計算に使用されるメモリ内容である。
【００３５】
なお、フラグＦの機能については後述する。また、税率すなわち消費税である５％の数値、および換算レートすなわち例えば１ドル＝１１０円を表す数値は、ＲＯＭ６に記憶されているプログラム中に予め設定された数値がプログラムのＲＡＭ７上への展開時に自動的に税率用領域および換算レート用領域に書き込まれるように構成してもよく、また、電子式計算機１に入力して書き込むように構成することも可能である。
【００３６】
ＣＰＵ８は、入力される指示に応じて所定のプログラムに基づいた処理を実行し、各機能部への指示やデータの転送を行うようになっている。また、ＣＰＵ８は、入力された数値やＲＡＭ７に記憶された税率等の数値に基づいて計算を行う計算手段を構成するとともに、第１表示駆動回路５ａおよび第２表示駆動回路５ｂを介して表示を行うパネルを一段表示パネル３ａおよび二段表示パネル３ｂの間で切り換える切り換え手段を構成している。
【００３７】
具体的には、ＣＰＵ８は、入力部４から入力される操作信号に応じてＲＯＭ６に格納されたプログラムを読み出し、当該プログラムに従って処理を実行する。そして、ＣＰＵ８は、計算結果を表示するための表示制御信号を適宜第１表示駆動回路５ａや第２表示駆動回路５ｂに出力して、対応した表示情報をディスプレイ３の一段表示パネル３ａまたは二段表示パネル３ｂに表示させるようになっている。
【００３８】
以下、ＣＰＵ８により実行される電子式計算機１の計算モードにおける動作例について、図４〜図９に示すフローチャートと、図１０〜図１４に示す画面遷移とを用いて説明する。なお、図１０〜図１４では、互いに対応させた状態で、ユーザの操作を図の左側に、ディスプレイ３における表示を図の右側にそれぞれ示している。
【００３９】
図４の基本フローチャートに示すように、電源キー３０が押下されて電子式計算機１の電源がＯＮにされると（ステップＳ１）、ＣＰＵ８は、まず、電子式計算機１の初期化を行うようになっている（ステップＳ２）。初期化においては、ＣＰＵ８は、ＲＯＭ６に記憶されている各プログラムを読み出してＲＡＭ７に展開する。また、この段階で、後述するフラグＦは０にセットされる。
【００４０】
続いて、ＣＰＵ８は、ユーザによってキー操作がされるまで処理を待機し（ステップＳ３；ＮＯ）、ユーザによりキー操作が行われると（ステップＳ３；ＹＥＳ）、押下されたキーに対応する処理を行うようになっている。なお、図４の基本フローチャートでは、便宜上、以下のステップＳ４、Ｓ７、Ｓ９、Ｓ１１、Ｓ１４、Ｓ１６、Ｓ１８、Ｓ２０等でそれぞれ判断が行われるように記載されているが、実際には、ＣＰＵ８が押下されたキーを判断して押下されたキーに対応する処理を即座に行うように構成されている。
【００４１】
ＣＰＵ８は、押下されたキーがテンキー２０であれば（ステップＳ４；ＹＥＳ）、入力されたキーの内容をＲＡＭ７の第１表示メモリ領域に一時的に記憶させて（ステップＳ５）、表示処理（ステップＳ６）を行うようになっている。
【００４２】
表示処理（ステップＳ６）は、図５に示すフローチャートに従って行われるようになっている。なお、図５のフローチャートにおいても、便宜上、以下のステップＳ６０、Ｓ６２、Ｓ６４、Ｓ６７、Ｓ７０、Ｓ７２でそれぞれ判断が行われるように記載されているが、実際には、現在の電子式計算機１の計算モードを判断してその計算モードに対応する処理を即座に実行するように構成されている。
【００４３】
表示処理では、ＣＰＵ８は、まず、フラグＦが０であるか否かを判断するようになっている（ステップＳ６０）。本実施形態では、フラグＦが０の状態とは、電子式計算機１の計算モードが四則演算モードに設定されていることを意味する。
【００４４】
そして、この場合、フラグＦは０であるから（ステップＳ６０；ＹＥＳ）、ＣＰＵ８は、第１表示駆動回路５ａに第１表示メモリ領域に記憶させたキーの内容を信号として送信し、第１表示駆動回路５ａは、その信号に基づいて一段表示パネル３ａの日の字状セグメントの透明電極に所定の電圧を印加してキーの内容をディスプレイ３上に表示させる（ステップＳ６１）。ＣＰＵ８は、表示処理（図４のステップＳ６）を終了すると、キー操作の待機状態に戻るようになっている（ステップＳ１）。
【００４５】
なお、表示処理における他の処理については後述する。また、テンキー２０が押下されると数値等が一段表示パネル３ａの最も右端側の日の字セグメントに表示され、テンキー２０が連続して押下されると先に入力された数値等が一段表示パネル３ａ上のより左側の日の字セグメントにシフトしながら表示されることおよびそのように制御することは公知の技術であり、説明を省略する。
【００４６】
ＣＰＵ８は、押下されたキーが演算キー２１であれば（ステップＳ７；ＹＥＳ）、その演算キー２１の内容をＲＡＭ７に一時的に記憶させて、四則演算・定数計算処理（ステップＳ８）を行うようになっている。四則演算・定数計算処理（ステップＳ８）は、図６に示すフローチャートに従って行われるようになっている。
【００４７】
四則演算・定数計算処理では、ＣＰＵ８は、まず、フラグＦが１であるか否かを判断するようになっている（ステップＳ８０）。本実施形態では、フラグＦが１の状態とは、電子式計算機１の計算モードが定数計算モードに設定されていることを意味する。
【００４８】
そして、この場合、フラグＦは０であるから（ステップＳ８０；ＮＯ）、ＣＰＵ８は、続いて、ＲＡＭ７に一時的に記憶した今回の演算キー２１の内容と同じ内容がその直前に記憶されているか否かを検索して、同じ演算キー２１が連続して押下されたか否かを判断するようになっている（ステップＳ８１）。
【００４９】
ＣＰＵ８は、同じ演算キー２１が連続して押下されていなければ（ステップＳ８１；ＮＯ）、その演算キー２１の内容をＲＡＭ７の四則演算用領域に記憶させる（ステップＳ８２）。なお、ユーザは、四則演算において例えば除算をすべきところを誤って乗算キー２１ａを押下した場合には通常続けて除算キー２１ｂを押下するから、このように演算キー２１が連続して押下されてもそれらが異なる演算キー２１であれば四則演算を続行する意思があると考えられる。そのため、ＣＰＵ８は、ステップＳ８１の判断において、連続して押下された演算キー２１が異なるキーであれば、同じ演算キー２１が連続して押下されていないと判断して、四則演算を続行する。
【００５０】
一方、前述したように、本実施形態では演算キー２１が連続して２回押下されると電子式計算機１の計算モードが定数計算モードに設定されるようになっている。そのため、ＣＰＵ８は、同じ演算キー２１が連続して押下されたと判断すると（ステップＳ８１；ＹＥＳ）、フラグＦを１にセットして電子式計算機１の計算モードを定数計算モードに設定する（ステップＳ８３）。
【００５１】
本実施形態では、通常の四則演算モードでは計算結果等を一段表示パネル３ａに表示し、ＲＡＭ７に記憶された数値を用いて計算を行う定数計算モードや後述する税込み計算モード、税抜き計算モード、換算計算モード、メモリ計算モードでは二段表示パネル３ｂに表示するようになっている。なお、定数計算モードとは、入力されたある数値を定数として固定し、次に入力された数値とその定数との乗算や除算を次々に行う計算モードである。
【００５２】
ＣＰＵ８は、フラグＦを１にセットすると（ステップＳ８３）、ディスプレイ３の表示を四則演算の場合の一段表示パネル３ａから二段表示パネル３ｂに切り換えるために、第１表示メモリ領域に記憶されている内容を第２上段表示メモリ領域に転写する（ステップＳ８４）。そして、その内容と今回押下された演算キー２１の内容とをＲＡＭ７の定数計算用領域に記憶させる（ステップＳ８２）。テンキー２０を介して入力され第１表示メモリ領域に記憶されていた内容は、定数計算における定数となる。
【００５３】
なお、ＣＰＵ８は、押下されたキーが演算キー２１である場合に、すでにフラグＦが１である場合（ステップＳ８０；ＹＥＳ）、すなわち電子式計算機１の計算モードが定数計算モードになっている状態でさらに演算キー２１が押下された場合には、フラグＦを０にセットして（ステップＳ８５）、電子式計算機１の計算モードを定数計算モードから通常の四則演算のモードに戻すようになっている。
【００５４】
ＣＰＵ８は、以上の操作を行って四則演算・定数計算処理（図４のステップＳ８）を終了する。
【００５５】
そして、その後の表示処理（ステップＳ６）では、ＣＰＵ８は、図５に示した表示処理のフローチャートに従い、四則演算・定数計算処理で計算モードが定数計算モードに移行してフラグＦが１にセットされていれば、ステップＳ６０の判断でフラグＦは０ではなく（ステップＳ６０；ＮＯ）、１であるから（ステップＳ６２；ＹＥＳ）、二段表示パネル３ｂの上段に前述した定数を表示させる（ステップＳ６３）。そして、その後、テンキー２０が押下されて置数が入力されると、表示処理では、フラグＦが１であるからステップＳ６３の処理が行われ、今度は置数が二段表示パネル３ｂの下段に表示される。
【００５６】
また、図４の基本フローチャートに示すように、ＣＰＵ８は、押下されたキーが「＝」キー２２であれば（ステップＳ９；ＹＥＳ）、フラグＦの値に基づいて四則演算や定数計算等の演算処理を実行するようになっている（ステップＳ１０）。そして、この場合、すなわちフラグＦが１にセットされ定数計算が行われている場合には、その後の表示処理（ステップＳ６）では、図５に示すように、定数計算の計算結果が二段表示パネル３ｂに表示されるようになっている（ステップＳ６３）。
【００５７】
以上の処理をディスプレイ３の表示を用いて説明すると、例えば図１０（Ａ）に示すように、四則演算モードで、キー操作により「２」、「０」、「×」と入力されると、フラグＦは０にセットされた状態であるから、ＣＰＵ８は、図６の四則演算・定数計算処理では、フラグＦは１ではなく（ステップＳ８０；ＮＯ）、同じ演算キー２１が連続して押下されていないと判断して（ステップＳ８１；ＮＯ）、テンキー２０の内容「２」「０」および演算キー２１の内容「×」をＲＡＭ７の四則演算用領域に記憶させる（ステップＳ８２）。また、表示処理では、四則演算モードであるから（図５のステップＳ６０；ＹＥＳ）、図１０（Ａ）に示すように、ＣＰＵ８は、第１表示駆動回路５ａから所定の電圧を印加させて一段表示パネル３ａに表示させる（ステップＳ６１）。
【００５８】
そして、図１０（Ｂ）に示すように、その後、乗算キー２１ａがさらに押下されると、四則演算・定数計算処理では、ＣＰＵ８は、フラグＦは０であり（ステップＳ８０；ＮＯ）、同じ演算キー２１が連続して押下されたから（ステップＳ８１；ＹＥＳ）、フラグＦを１にセットして（ステップＳ８３）、電子式計算機１の計算モードを定数計算モードにする。そして、第１表示メモリ領域の内容「２０」を第２上段表示メモリ領域に転写し（ステップＳ８４）、転写された内容「２０」を定数計算の定数としてＲＡＭ７の定数計算用領域に記憶させる（ステップＳ８２）。
【００５９】
続いて、表示処理では、フラグＦは１であるから（図５のステップＳ６２；ＹＥＳ）、ＣＰＵ８は、表示手段をそれまでの一段表示パネル３ａから二段表示パネル３ｂに切り換える表示の切り換えを行い、図１０（Ｂ）に示すように、第２表示駆動回路５ｂから所定の電圧を印加させて二段表示パネル３ｂの上段にＲＡＭ７に記憶されている定数「２０」を読み出して表示させる（ステップＳ６３）。また、ＣＰＵ８は、定数計算モードであることを示すために、二段表示パネル３ｂの左側の「Ｋ」の文字セグメントに所定の電圧を印加させて「Ｋ」の文字を表示させる。
【００６０】
そして、さらに、図１０（Ｃ）に示すように、テンキー２０が押下されて置数「１０」が入力されると、表示処理では、フラグＦが１であるからステップＳ６３の処理が行われ、同図に示すように、ＣＰＵ８は、今度は置数を二段表示パネル３ｂの下段に表示させる。
【００６１】
そして、図１０（Ｄ）に示すように、「＝」キー２２が押下されると、ＣＰＵ８は、定数「２０」に置数「１０」を乗算する定数計算を実行し（図４のステップＳ１０）、同図に示すように、表示処理で、定数計算の計算結果「２００」を二段表示パネル３ｂに表示させる（ステップＳ６３）。例えば図１０（Ｅ）に示すように、この状態でさらに別の置数「１５」が入力され「＝」キー２２が押下されると、定数「２０」に置数「１５」を乗算する定数計算が実行されて、同図に示すように、表示処理で、定数計算の計算結果「３００」が二段表示パネル３ｂに表示される。
【００６２】
なお、定数計算モードは、フラグＦが１に設定されている図１０（Ａ）〜（Ｅ）の何れかの状況でテンキー２０や「＝」キー２２ではなく演算キー２１を押下することで解除され（図６のステップＳ８５）、或いは下記に述べるＡＣキー２３の押下により解除されて、四則演算に戻る。
【００６３】
図４の基本フローチャートに戻り、ＣＰＵ８は、押下されたキーがＡＣキー２３であれば（ステップＳ１１；ＹＥＳ）、ＲＡＭ７の演算用の領域や第１表示メモリ領域、第２上段表示メモリ領域、第２下段表示メモリ領域に記憶されている内容や定数計算用領域に記憶されている定数をクリアし（ステップＳ１２）、フラグＦを０にセットするようになっている（ステップＳ１３）。
【００６４】
そのため、計算モードが四則演算モードに戻り、ＲＡＭ７の計算モード用領域には四則演算モードを表すデータが記憶され、フラグ用領域には０が記憶される。また、表示用の領域がクリアされるため、ディスプレイ３上の表示が消える（ステップＳ６）。
【００６５】
ＣＰＵ８は、押下されたキーがＣキー２４であれば（ステップＳ１４；ＹＥＳ）、ＲＡＭ７中からその直前に入力した入力データを消去する（ステップＳ１５）。
【００６６】
ＣＰＵ８は、押下されたキーが税込キー２７または税抜キー２８であれば（ステップＳ１６；ＹＥＳ）、税込み・税抜き計算処理（ステップＳ１７）を行うようになっている。税込み計算と税抜き計算とは別々に行われるが、同様の処理であるから、ここで同時に説明する。税込み・税抜き計算処理（ステップＳ１７）は、図７に示すフローチャートに従って行われるようになっている。
【００６７】
税込み・税抜き計算処理では、ＣＰＵ８は、まず、押下されたキーが税込キー２７であればフラグＦを２にセットして計算モードを税込み計算モードとし、押下されたキーが税抜キー２８であればフラグＦを３にセットして計算モードを税抜き計算モードとするようになっている（ステップＳ１７０）。そして、税込み計算または税抜き計算を実行する（ステップＳ１７１）。
【００６８】
税込み計算では、ＣＰＵ８は、記憶手段であるＲＡＭ７の税率用領域に記憶された数値である税率を読み出して、税込キー２７が押下するまでにテンキー２０を介して入力された価格を表す数値に対する税額と税込み価格を計算する。具体的には、入力された価格をＡ、税率をαとした場合、ＣＰＵ８は、税額Ａ×α、税込み価格Ａ×（１＋α）を計算する。そして、ディスプレイ３の表示を四則演算の場合の一段表示パネル３ａから二段表示パネル３ｂに切り換えるために、算出した税額を第２上段表示メモリ領域にセットし、税込み価格を第２下段表示メモリ領域にセットする（ステップＳ１７２）。
【００６９】
また、税抜き計算（ステップＳ１７１）においても同様に、ＣＰＵ８は、ＲＡＭ７の税率用領域に記憶された税率を読み出して、入力された価格を表す数値に対する税額と税抜き価格を計算する。具体的には、ＣＰＵ８は、税額Ａ×α／（１＋α）、税抜き価格Ａ／（１＋α）を計算する。そして、算出した税額を第２上段表示メモリ領域にセットし、税抜き価格を第２下段表示メモリ領域にセットする（ステップＳ１７２）。
【００７０】
ＣＰＵ８は、以上の操作を行って税込み・税抜き計算処理（図４のステップＳ１７）を終了する。
【００７１】
そして、表示処理（ステップＳ６）では、ＣＰＵ８は、図５に示した表示処理のフローチャートに従い、フラグＦは２（ステップＳ６４；ＹＥＳ）または３（ステップＳ６７；ＹＥＳ）であるから、二段表示パネル３ｂの上段に税額を、下段に税込み価格または税抜き価格を表示させる（ステップＳ６５、Ｓ６８）。そして、本実施形態では、新たに価格を入力する場合に、ユーザに一段表示の大きな表示で入力させるためにフラグＦを０にセットするようになっている（ステップＳ６６、Ｓ６９）。
【００７２】
以上の処理をディスプレイ３の表示を用いて説明すると、消費税が５％すなわち前記α＝０．０５であるとすると、税込み計算の場合、例えば図１１（Ａ）に示すように、四則演算モードでキー操作により「２０００」と入力され、図１１（Ｂ）に示すように税込キー２７が押下されると、ＣＰＵ８は、図７の税込み・税抜き計算処理で、フラグＦを２にセットし（ステップＳ１７０）、税込み計算を行う（ステップＳ１７１）。そして、表示処理ではフラグＦが２であるから（図５のステップＳ６４；ＹＥＳ）、ＣＰＵ８は、二段表示パネル３ｂの上段に税額「１００」を、下段に税込み価格「２１００」を表示させる（ステップＳ６５）。また、ＣＰＵ８は、税額と税込み計算モードであることを示すために、二段表示パネル３ｂの左側上方の「税」の文字セグメントおよび左側下方の「税込」の文字セグメントに所定の電圧を印加させてそれらの文字を表示させる。そして、次の入力にそなえてフラグＦを０にセットする（ステップＳ６６）。
【００７３】
税抜き計算の場合には、例えば図１２（Ａ）に示すように、四則演算モードでキー操作により「２１００」と入力され、図１２（Ｂ）に示すように税抜キー２８が押下されると、ＣＰＵ８は、図７の税込み・税抜き計算処理で、フラグＦを３にセットし（ステップＳ１７０）、税抜き計算を行う（ステップＳ１７１）。そして、表示処理ではフラグＦが３であるから（図５のステップＳ６７；ＹＥＳ）、ＣＰＵ８は、二段表示パネル３ｂの上段に税額「１００」を、下段に税抜き価格「２０００」を表示させる（ステップＳ６８）。また、ＣＰＵ８は、税額と税抜き計算モードであることを示すために、二段表示パネル３ｂの左側上方の「税」の文字セグメントおよび左側下方の「税抜」の文字セグメントに所定の電圧を印加させてそれらの文字を表示させる。そして、次の入力にそなえてフラグＦを０にセットする（ステップＳ６９）。
【００７４】
図４の基本フローチャートに戻り、ＣＰＵ８は、押下されたキーが右方向キー２５または左方向キー２６であれば（ステップＳ１８；ＹＥＳ）、換算計算処理（ステップＳ１９）を行うようになっている。換算計算処理では、例えば右方向キー２５の押下によりドルから円への換算が行われ、左方向キー２６の押下により円からドルへの換算が行われるが、同様の処理であるから、ここで同時に説明する。換算計算処理（ステップＳ１９）は、図８に示すフローチャートに従って行われるようになっている。
【００７５】
換算計算処理では、ＣＰＵ８は、まず、フラグＦが４または５であるか否かを判断し（ステップＳ１９０）、フラグＦが４または５でなければ（ステップＳ１９０；ＮＯ）、押下されたキーが右方向キー２５であればフラグＦを４にセットして計算モードをドルから円への換算計算モードとし、押下されたキーが左方向キー２６であればフラグＦを５にセットして計算モードを円からドルへの換算計算モードとするようになっている（ステップＳ１９１）。そして、換算計算を実行する（ステップＳ１９２）。
【００７６】
ドルから円への換算計算では、ＣＰＵ８は、記憶手段であるＲＡＭ７の換算レート用領域に記憶された数値である換算レートを読み出して、右方向キー２５が押下するまでにテンキー２０を介して入力されたドルを表す被換算値に対する円への換算結果を計算する。具体的には、入力された被換算値をＢ、換算レートをβとした場合、ＣＰＵ８は、換算結果Ｂ×βを計算する。そして、ディスプレイ３の表示を四則演算の場合の一段表示パネル３ａから二段表示パネル３ｂに切り換えるために、入力された被換算値を第２上段表示メモリ領域にセットし、算出した換算結果を第２下段表示メモリ領域にセットする（ステップＳ１９３）。
【００７７】
また、円からドルへの換算計算（ステップＳ１９２）においても同様に、ＣＰＵ８は、ＲＡＭ７の換算レート用領域に記憶された換算レートを読み出して、入力された円を表す被換算値に対するドルへの換算結果を計算する。具体的には、ＣＰＵ８は、換算結果Ｂ／βを計算する。そして、入力された被換算値を第２上段表示メモリ領域にセットし、算出した換算結果を第２下段表示メモリ領域にセットする（ステップＳ１９３）。
【００７８】
ＣＰＵ８は、以上の操作を行って換算計算処理（図４のステップＳ１９）を終了する。
【００７９】
そして、表示処理（ステップＳ６）では、ＣＰＵ８は、図５に示した表示処理のフローチャートに従い、フラグＦは４（ステップＳ７０；ＹＥＳ）または５（ステップＳ７２；ＹＥＳ）であるから、二段表示パネル３ｂの上段に入力された被換算値を、下段に換算結果を表示させるようになっている（ステップＳ７１、Ｓ７３）。なお、連続して換算計算を行う場合が多いから、本実施形態では、換算計算の場合には表示を二段表示のままとするようになっている。
【００８０】
以上の処理をディスプレイ３の表示を用いて説明すると、ドルから円への換算計算の場合、１ドル＝１１０円すなわち前記β＝１１０であるとすると、例えば図１３（Ａ）に示すように、四則演算モードでキー操作により「２００」と入力され、図１３（Ｂ）に示すように右方向キー２５が押下されると、ＣＰＵ８は、図８の換算計算処理で、フラグＦが４でなければ（ステップＳ１９０；ＮＯ）フラグＦを４にセットし（ステップＳ１９１）、換算計算を行う（ステップＳ１９２）。そして、表示処理ではフラグＦが４であるから（図５のステップＳ７０；ＹＥＳ）、ＣＰＵ８は、二段表示パネル３ｂの上段に入力された被換算値「２００」を、下段に換算結果「２２０００」を表示させる（ステップＳ７１）。
【００８１】
円からドルへの換算計算の場合には、図示を省略するが、キー操作により例えば「３３００」と入力され、左方向キー２６が押下されると、ＣＰＵ８は、図８の換算計算処理で、フラグＦが５でなければ（ステップＳ１９０；ＮＯ）フラグＦを５にセットし（ステップＳ１９１）、換算計算を行う（ステップＳ１９２）。そして、表示処理ではフラグＦが５であるから（図５のステップＳ７２；ＹＥＳ）、ＣＰＵ８は、二段表示パネル３ｂの上段に入力された被換算値「３３００」を、下段に換算結果「３０」を表示させる（ステップＳ７３）。
【００８２】
なお、換算計算が続けて行われる場合は、二段表示パネル３ｂの上段に置数すなわち被換算値が入力され、右方向キー２５や左方向キー２６が押下されると、二段表示パネル３ｂの下段に換算結果が表示される。また、本実施形態では、換算計算においてはディスプレイ３上にそれを表す文字セグメントは表示されないようになっているが、換算計算モードであることや「円」、「ドル」等の表示を行うように構成することも可能である。
【００８３】
図４の基本フローチャートに戻り、ＣＰＵ８は、押下されたキーがメモリキー２９であれば（ステップＳ２０；ＹＥＳ）、押下されたメモリキー２９が「Ｍ＋」キーまたは「Ｍ−」キーであれば、メモリ計算処理（ステップＳ２１）を行うようになっている。なお、押下されたメモリキー２９が「ＭＣ」キーであればＲＡＭ７のメモリ計算用領域に記憶されたＭ値を０とし、「ＭＲ」キーであれば四則演算等の中でＭ値を読み出すだけであるので、以下に述べる二段表示等は行われない。
【００８４】
メモリ計算処理（ステップＳ２１）は、図９に示すフローチャートに従って行われるようになっている。
【００８５】
メモリ計算処理では、ＣＰＵ８は、まず、フラグＦが６でなければ（ステップＳ２１０；ＮＯ）、フラグＦを６にセットして計算モードをメモリ計算モードとし（ステップＳ２１１）、記憶手段であるＲＡＭ７のメモリ計算用領域に記憶された数値であるＭ値を読み出して、メモリ計算を行うようになっている（ステップＳ２１２）。
【００８６】
メモリ計算では、ＣＰＵ８は、押下されたメモリキー２９が「Ｍ＋」キーであれば、Ｍ値と「Ｍ＋」キーが押下するまでに計算された計算結果との和を計算する。また、押下されたメモリキー２９が「Ｍ−」キーであれば、Ｍ値と計算結果との差を計算する。
【００８７】
続いて、ＣＰＵ８は、このようにして計算したメモリ計算の結果を新たにＭ値としてＲＡＭ７のメモリ計算用領域に記憶する（ステップＳ２１３）。そして、ＣＰＵ８は、ディスプレイ３の表示を一段表示パネル３ａから二段表示パネル３ｂに切り換えるために、この新たなＭ値をＲＡＭ７の第２上段表示領域にセットし、「Ｍ＋」キーや「Ｍ−」キーが押下されるまでの計算の置数や計算結果を第２下段表示メモリ領域にセットする（ステップＳ２１４）。ＣＰＵ８は、以上の操作を行って換算計算処理（図４のステップＳ２１）を終了する。
【００８８】
そして、表示処理（ステップＳ６）では、ＣＰＵ８は、図５に示した表示処理のフローチャートに従い、フラグＦは６であるから（ステップＳ７２；ＮＯ）、二段表示パネル３ｂの上段にＭ値を、下段に置数や計算結果を表示させるようになっている（ステップＳ７４）。
【００８９】
以上の処理をディスプレイ３の表示を用いて説明すると、図１４（Ａ）に示すように、例えば四則演算モードで「２１×６＝」と入力すると、ディスプレイ３の一段表示パネル３ａにはその計算結果である「１２６」が表示される。そして、図１４（Ｂ）に示すように、メモリキー２９として「Ｍ＋」キーが押下されると、ＣＰＵ８は、図９のメモリ計算処理で、フラグＦが６でないから（ステップＳ２１０；ＮＯ）フラグＦを６にセットし（ステップＳ２１１）、メモリ計算を行う（ステップＳ２１２）。
【００９０】
この場合、ＲＡＭ７のメモリ計算用領域に記憶されているＭ値が初期化により設定された値０であるとすると、Ｍ値「０」と計算結果「１２６」との和は１２６であるから、ＲＡＭ７のメモリ計算用領域にはメモリ計算の結果「１２６」が新たなＭ値として記憶される（ステップＳ２１３）。そして、表示処理ではフラグＦが６であるから（図５のステップＳ７２；ＮＯ）、ＣＰＵ８は、二段表示パネル３ｂの上段にＭ値「１２６」を、下段に前記「２１×６＝」の計算結果「１２６」を表示させる（ステップＳ７４）。また、ＣＰＵ８は、メモリ計算モードであることを示すために、二段表示パネル３ｂの左側の「Ｍ」の文字セグメントに所定の電圧を印加させて「Ｍ」の文字を表示させる。
【００９１】
また、この状態で、続けてメモリ計算が行われ、例えばＭ値「１２６」に「３×５」の計算結果を加算する場合には、図１４（Ｂ）の状態で、まず「３」キーが押下されるとディスプレイ３上には図１４（Ｃ）のように置数「３」が表示され、続いて「×」キーが押下されると表示上は変化がないが乗算の態勢となり、続いて「５」キーが押下されると、図１４（Ｄ）に示すようにディスプレイ３の下段に置数「５」が表示され、さらに続いて「＝」キーが押下されると、図１４（Ｅ）に示すように「３×５」の計算結果「１５」が表示される。
【００９２】
そして、この段階で「Ｍ＋」キーが押下されると、メモリ計算が行われ、図１４（Ｆ）に示すように、ディスプレイ３の上段のＭ値の表示が、メモリ計算の結果新たにＭ値とされた「１４１」に変わる。なお、「Ｍ−」キーを押下した場合のメモリ計算についても同様に説明される。
【００９３】
なお、図４のフローチャートにおいて、押下されたキーが上記のテンキー２０、演算キー２１、「＝」キー２２、ＡＣキー２３、Ｃキー２４、税込キー２７、税抜キー２８、右方向キー２５、左方向キー２６、メモリキー２９の何れでもない場合には（ステップＳ２０；ＮＯ）、ＣＰＵ８は、必要に応じてフラグＦを０にセットしたり表示処理等を行った後、当該キー操作に対応する処理を行うようになっている（ステップＳ２２）。
【００９４】
以上のように、本実施形態に係る電子式計算機１によれば、電子式計算機１の基本的機能であり頻繁に利用される四則演算においては、表示をディスプレイ３の一段型表示手段である一段表示パネル３ａで行うことで、小型の電子式計算機であっても、ディスプレイに表示される数値等を大きくすることができ、ディスプレイに表示される数値等を非常に見易いものとすることが可能となる。
【００９５】
また、定数計算や税込み・税抜き計算、換算計算、メモリ計算等の記憶手段に記憶された数値を用いた計算においては、表示をディスプレイ３の一段表示パネル３ａから二段型表示手段である二段表示パネル３ｂに切り換えて行うことで、表示を見易くし、且つ、種々の計算結果を理解し易い状態で表示することが可能となる。
【００９６】
なお、本実施形態では、四則演算では一段表示を行い、記憶手段に記憶された数値を用いた計算では二段表示を行うように、切り換え手段であるＣＰＵ８が自動的に表示を切り換える場合について説明したが、ユーザが入力手段を介して切り換え指示を入力でき、ＣＰＵ８がそれに基づいて表示の切り換えを行うように構成することも可能である。
【００９７】
例えば、図１に示した電子式計算機１の正面部分に入力手段として「一段」キーと「二段」キーとを設け、ユーザが税込み計算等の記憶手段に記憶された数値を用いた計算においても一段表示をさせたい場合には「一段」キーを押下することで、ＣＰＵ８が表示を行う表示手段を一段表示パネル３ａに固定し、例えば「＝」キー２２の繰り返し操作により税額と税込み価格とが繰り返し表示されるように構成することもできる。また、ユーザが「二段」キーを押下することで、ＣＰＵ８が表示を行う表示手段を二段表示パネル３ｂに固定し、四則演算の計算結果を例えばその右側下方に表示させるように構成することも可能である。
【図面の簡単な説明】
【００９８】
【図１】電子式計算機の正面図である。
【図２】表示手段の構成を示す図であり、（Ａ）は一段型表示手段、（Ｂ）は二段型表示手段を示す図である。
【図３】電子式計算機の機能構成を示すブロック図である。
【図４ａ】電子式計算機の動作を示す基本フローチャートである。
【図４ｂ】電子式計算機の動作を示す基本フローチャートである。
【図５】表示処理における動作を示すフローチャートである。
【図６】四則演算・定数計算処理における動作を示すフローチャートである。
【図７】税込み・税抜き計算処理における動作を示すフローチャートである。
【図８】換算計算処理における動作を示すフローチャートである。
【図９】メモリ計算処理における動作を示すフローチャートである。
【図１０】定数計算処理における画面遷移を示す図である。
【図１１】税込み計算処理における画面遷移を示す図である。
【図１２】税抜き計算処理における画面遷移を示す図である。
【図１３】換算計算処理における画面遷移を示す図である。
【図１４】メモリ計算処理における画面遷移を示す図である。
【符号の説明】
【００９９】
１    電子式計算機
２    各種キー（入力手段）
３    ディスプレイ（表示手段）
３ａ  一段表示パネル（一段型表示手段）
３ｂ  二段表示パネル（二段型表示手段）
７    ＲＡＭ（記憶手段）
８    ＣＰＵ（計算手段、切り換え手段）
Ｂ    被換算値（換算前の数値）
Ｍ    Ｍ値（メモリ内容）
α    税率
β    換算レート
【図１】
2008234144.tif 000003
【図２】
2008234144.tif 000004
【図３】
2008234144.tif 000005
【図４ａ】
2008234144.tif 000006
【図４ｂ】
2008234144.tif 000007
【図５】
2008234144.tif 000008
【図６】
2008234144.tif 000009
【図７】
2008234144.tif 000010
【図８】
2008234144.tif 000011
【図９】
2008234144.tif 000012
【図１０】
2008234144.tif 000013
【図１１】
2008234144.tif 000014
【図１２】
2008234144.tif 000015
【図１３】
2008234144.tif 000016
【図１４】
2008234144.tif 000017